(57)【要約】【課題】家電機器に自らの動作履歴を記録して送信する機能を付加することなく、家電機器とコンセントの対応付けをより短い時間でより確実に推定することができる電気機器接続推定装置を提供すること。【解決手段】電気機器接続推定装置である消費電力表示装置８Ａは、電気機器の種別識別情報に対応づけて、操作指示情報と操作指示情報に対応する電気機器の電力消費パターンとを記憶する記憶手段８５と、種別識別手段が識別した種別識別情報に対応する操作指示情報を出力する出力手段である表示手段８３と、電力管理装置からコンセント単位の電力消費情報および対応するコンセントの識別情報であるコンセント識別情報を受信する通信手段８４と、種別識別手段が識別した種別識別情報と、通信手段が受信した電力消費情報と、記憶手段が記憶している電力消費パターンと、に基づいて、種別識別情報とコンセント識別情報とを関連付ける制御手段８６と、を備える。【選択図】図５
2012253865.tif 000002
【特許請求の範囲】
【請求項１】
コンセント単位で電気機器の消費電力情報を管理する電力管理装置に接続する電気機器接続推定装置であって、
電気機器の種別を識別する情報である種別識別情報を識別する種別識別手段と、
電気機器の種別識別情報に対応づけて、操作指示情報と前記操作指示情報に対応する電気機器の電力消費パターンとを記憶する記憶手段と、
前記種別識別手段が識別した種別識別情報に対応する操作指示情報を出力する出力手段と、
前記電力管理装置からコンセント単位の電力消費情報および対応するコンセントの識別情報であるコンセント識別情報を受信する通信手段と、
前記種別識別手段が識別した種別識別情報と、前記通信手段が受信した電力消費情報と、前記記憶手段が記憶している電力消費パターンと、に基づいて、種別識別情報とコンセント識別情報とを関連付ける制御手段と、
を備える電気機器接続推定装置。
【請求項２】
前記出力手段は、前記種別識別手段が識別した種別識別情報に対応する操作指示情報のうち、電気機器の電力消費の変動が最大になる操作指示情報を出力する
請求項１に記載の電気機器接続推定装置。
【請求項３】
前記種別識別手段は、カメラで撮影した画像に基づいて種別識別情報を識別する
請求項１又は請求項２に記載の電気機器接続推定装置。
【請求項４】
前記種別識別手段は、キーパッドからの入力に基づいて種別識別情報を識別する
請求項１又は請求項２に記載の電気機器接続推定装置。
【請求項５】
前記出力手段は、表示手段である
請求項１乃至請求項４のいずれか１項に記載の電気機器接続推定装置。
【請求項６】
前記出力手段は、近接通信手段であり、操作指示情報を電気機器に送信する
請求項１乃至請求項４のいずれか１項に記載の電気機器接続推定装置。
【請求項７】
コンセント単位で電気機器の消費電力情報を管理する電力管理装置と、前記電力管理装置に接続する電気機器接続推定装置と、を備える電気機器接続推定システムであって、
前記電気機器接続推定装置は、
電気機器の種別を識別する情報である種別識別情報を識別する種別識別手段と、
電気機器の種別識別情報に対応づけて、操作指示情報と前記操作指示情報に対応する電気機器の電力消費パターンとを記憶する記憶手段と、
前記種別識別手段が識別した種別識別情報に対応する操作指示情報を出力する出力手段と、
前記電力管理装置からコンセント単位の電力消費情報および対応するコンセントの識別情報であるコンセント識別情報を受信する通信手段と、
前記種別識別手段が識別した種別識別情報と、前記通信手段が受信した電力消費情報と、前記記憶手段が記憶している電力消費パターンと、に基づいて、種別識別情報とコンセント識別情報とを関連付ける制御手段と、を備える
電気機器接続推定システム。
【請求項８】
電気機器の種別識別情報に対応づけて、操作指示情報と前記操作指示情報に対応する電気機器の電力消費パターンとを記憶する記憶手段を備え、コンセント単位で電気機器の消費電力情報を管理する電力管理装置に接続する電気機器接続推定装置における電気機器接続推定方法であって、
電気機器の種別を識別する情報である種別識別情報を識別する種別識別ステップと、
前記種別識別ステップが識別した種別識別情報に対応する操作指示情報を出力する出力ステップと、
前記電力管理装置からコンセント単位の電力消費情報および対応するコンセントの識別情報であるコンセント識別情報を受信する通信ステップと、
前記種別識別ステップで識別した種別識別情報と、前記通信ステップで受信した電力消費情報と、前記記憶手段が記憶している電力消費パターンと、に基づいて、種別識別情報とコンセント識別情報とを関連付ける制御ステップと、
を備える電気機器接続推定方法。
【請求項９】
電気機器の種別識別情報に対応づけて、操作指示情報と前記操作指示情報に対応する電気機器の電力消費パターンとを記憶する記憶手段を備え、コンセント単位で電気機器の消費電力情報を管理する電力管理装置に接続する電気機器接続推定装置であるコンピュータに、
電気機器の種別を識別する情報である種別識別情報を識別する種別識別ステップと、
前記種別識別ステップが識別した種別識別情報に対応する操作指示情報を出力する出力ステップと、
前記電力管理装置からコンセント単位の電力消費情報および対応するコンセントの識別情報であるコンセント識別情報を受信する通信ステップと、
前記種別識別ステップで識別した種別識別情報と、前記通信ステップで受信した電力消費情報と、前記記憶手段が記憶している電力消費パターンと、に基づいて、種別識別情報とコンセント識別情報とを関連付ける制御ステップと、
を実行させるためのプログラム。
【発明の詳細な説明】
【技術分野】
【０００１】
本発明は、電気機器接続推定装置、電気機器接続推定システム、電気機器接続推定方法及びプログラムに関し、特に、電気機器の接続を推定して家電機器の消費電力を表示する電気機器接続推定装置、電気機器接続推定システム、電気機器接続推定方法及びプログラムに関するものを含む。
【背景技術】
【０００２】
従来、家電機器の消費電力を表示するための消費電力表示装置として、例えば、特許文献１に記載されているように、接続された家電機器の消費電力を測定して送信する機能を有する電力計と、電力計から送信された消費電力を取得して、家電機器毎に消費電力あるいは電力料金を表示するリモコンがあった。
【０００３】
また、家電機器の消費電力を表示するための消費電力システムとして、例えば、特許文献２に記載されているように、家電機器が自らの動作履歴を記録して送信する機能を備え、管理センターは家電機器から受信した動作履歴と、分電盤装置において分岐ブレーカ毎に測定され送信された消費電力情報に基づき、家電機器がどの分岐ブレーカに接続されているか推定するシステムがあった。
【先行技術文献】
【特許文献】
【０００４】
【特許文献１】特開２００６−１４８４５０号公報
【特許文献２】特開２０１０−１９３６３８号公報
【発明の概要】
【発明が解決しようとする課題】
【０００５】
しかしながら、特許文献１の構成では、家電機器と電力計の対応付けを利用者が入力しなければならなかった。
【０００６】
また、特許文献２の構成では、家電機器が自らの動作履歴を記録して送信する機能を備えている必要があり、また、動作履歴と消費電力情報を比較して家電機器がどの分岐ブレーカに接続されているか推定するためには、家電機器をある程度の時間、運用しなければならないという課題があった。
【０００７】
本発明は上記課題を解決するためになされたものであり、本発明の目的は、家電機器に自らの動作履歴を記録して送信する機能を付加することなく、家電機器とコンセントの対応関係をより短い時間でより確実に推定することができる電気機器接続推定装置、電気機器接続推定システム、電気機器接続推定方法及びプログラムを提供することである。
【課題を解決するための手段】
【０００８】
前記従来の課題を解決するために、本発明の電気機器接続推定装置は、コンセント単位で電気機器の消費電力情報を管理する電力管理装置に接続する電気機器接続推定装置であって、電気機器の種別を識別する情報である種別識別情報を識別する種別識別手段と、電気機器の種別識別情報に対応づけて、操作指示情報と前記操作指示情報に対応する電気機器の電力消費パターンとを記憶する記憶手段と、前記種別識別手段が識別した種別識別情報に対応する操作指示情報を出力する出力手段と、前記電力管理装置からコンセント単位の電力消費情報および対応するコンセントの識別情報であるコンセント識別情報を受信する通信手段と、前記種別識別手段が識別した種別識別情報と、前記通信手段が受信した電力消費情報と、前記記憶手段が記憶している電力消費パターンと、に基づいて、種別識別情報とコンセント識別情報とを関連付ける制御手段と、を備える。
【０００９】
また、本発明の電気機器接続推定装置は、前記出力手段は、前記種別識別手段が識別した種別識別情報に対応する操作指示情報のうち、電気機器の電力消費の変動が最大になる操作指示情報を出力するものを含む。
【００１０】
また、本発明の電気機器接続推定装置は、前記種別識別手段は、カメラで撮影した画像に基づいて種別識別情報を識別するものを含む。
【００１１】
また、本発明の電気機器接続推定装置は、前記種別識別手段は、キーパッドからの入力に基づいて種別識別情報を識別するものを含む。
【００１２】
また、本発明の電気機器接続推定装置は、前記出力手段は、表示手段であるものを含む。
【００１３】
また、本発明の電気機器接続推定装置は、前記出力手段は、近接通信手段であり、操作指示情報を電気機器に送信するものを含む。
【００１４】
また、本発明の電気機器接続推定システムは、コンセント単位で電気機器の消費電力情報を管理する電力管理装置と、前記電力管理装置に接続する電気機器接続推定装置と、を備える電気機器接続推定システムであって、前記電気機器接続推定装置は、電気機器の種別を識別する情報である種別識別情報を識別する種別識別手段と、電気機器の種別識別情報に対応づけて、操作指示情報と前記操作指示情報に対応する電気機器の電力消費パターンとを記憶する記憶手段と、前記種別識別手段が識別した種別識別情報に対応する操作指示情報を出力する出力手段と、前記電力管理装置からコンセント単位の電力消費情報および対応するコンセントの識別情報であるコンセント識別情報を受信する通信手段と、前記種別識別手段が識別した種別識別情報と、前記通信手段が受信した電力消費情報と、前記記憶手段が記憶している電力消費パターンと、に基づいて、種別識別情報とコンセント識別情報とを関連付ける制御手段と、を備える。
【００１５】
また、本発明の電気機器接続推定方法は、電気機器の種別識別情報に対応づけて、操作指示情報と前記操作指示情報に対応する電気機器の電力消費パターンとを記憶する記憶手段を備え、コンセント単位で電気機器の消費電力情報を管理する電力管理装置に接続する電気機器接続推定装置における電気機器接続推定方法であって、電気機器の種別を識別する情報である種別識別情報を識別する種別識別ステップと、前記種別識別ステップが識別した種別識別情報に対応する操作指示情報を出力する出力ステップと、前記電力管理装置からコンセント単位の電力消費情報および対応するコンセントの識別情報であるコンセント識別情報を受信する通信ステップと、前記種別識別ステップで識別した種別識別情報と、前記通信ステップで受信した電力消費情報と、前記記憶手段が記憶している電力消費パターンと、に基づいて、種別識別情報とコンセント識別情報とを関連付ける制御ステップと、を備える。
【００１６】
また、本発明のプログラムは、電気機器の種別識別情報に対応づけて、操作指示情報と前記操作指示情報に対応する電気機器の電力消費パターンとを記憶する記憶手段を備え、コンセント単位で電気機器の消費電力情報を管理する電力管理装置に接続する電気機器接続推定装置であるコンピュータに、電気機器の種別を識別する情報である種別識別情報を識別する種別識別ステップと、前記種別識別ステップが識別した種別識別情報に対応する操作指示情報を出力する出力ステップと、前記電力管理装置からコンセント単位の電力消費情報および対応するコンセントの識別情報であるコンセント識別情報を受信する通信ステップと、前記種別識別ステップで識別した種別識別情報と、前記通信ステップで受信した電力消費情報と、前記記憶手段が記憶している電力消費パターンと、に基づいて、種別識別情報とコンセント識別情報とを関連付ける制御ステップと、を実行させるためのプログラムである。
【発明の効果】
【００１７】
以上のように、本発明によれば、家電機器に自らの動作履歴を記録して送信する機能を付加することなく、家電機器とコンセントの対応付けをより短い時間でより確実に推定することができる。
【図面の簡単な説明】
【００１８】
【図１】本発明の実施の形態１、２の共通部分となる消費電力表示システムの全体構成例を示す図
【図２】本発明の実施の形態１、２の共通部分となる消費電力表示システムにおける電力管理装置のデータベースに格納されるコンセント識別情報と消費電力情報の一例を示す図
【図３】本発明の実施の形態１、２の共通部分となる消費電力表示システムにおける消費電力情報取得のシーケンスの例を示す図
【図４】本発明の実施の形態１における消費電力表示システムの全体構成例を示す図
【図５】本発明の実施の形態１における消費電力表示装置の内部構成例を示すブロック図
【図６】本発明の実施の形態１における機器情報サーバの内部構成例を示すブロック図
【図７】本発明の実施の形態１における消費電力表示装置の記憶手段に格納されている機器識別情報とコンセント識別情報の一例を示す図
【図８】本発明の実施の形態１における消費電力表示装置および機器情報サーバのデータベースの記憶手段に格納されている機器種別情報、操作指示情報、消費電力パターンの一例を示す図
【図９】本発明の実施の形態１における機器情報取得のシーケンスの例を示す図
【図１０】本発明の実施の形態１における消費電力表示装置の内部処理を示すフローチャート
【図１１】本発明の実施の形態１における機器情報サーバの内部処理を示すフローチャート
【図１２】本発明の実施の形態２における消費電力表示システムの全体構成例を示す図
【図１３】本発明の実施の形態２における消費電力表示装置の内部構成例を示すブロック図
【図１４】本発明の実施の形態２における消費電力表示装置および機器情報サーバのデータベースの記憶手段に格納されている機器種別情報、操作指示情報、消費電力パターンの一例を示す図
【図１５】本発明の実施の形態２における消費電力表示装置８Ｂの内部処理を示すフローチャート
【発明を実施するための形態】
【００１９】
以下、本発明の実施の形態について、図面を参照しながら説明する。以下では、電気機器接続推定装置の例として、消費電力表示装置８、８Ａ、８Ｂについて説明する。また、電気機器接続推定システムの例として、消費電力表示システムについて説明する。また、種別識別手段の例として、画像認識手段８２について説明する。また、出力手段の例として、主に、表示手段８３について説明する。
【００２０】
まず、本発明の実施の形態１、２の共通部分となるコンセント単位で消費電力情報を管理する消費電力表示システムの全体構成例について図面を参照しながら説明する。本発明の実施の形態は、特に断りのない限り、これらの構成を含むように構成することができる。
【００２１】
図１は、本発明の実施の形態１、２の共通部分となるコンセント単位で消費電力情報を管理する消費電力表示システムの全体構成例を示す図である。図１に示すように、電力線１に電力供給装置２、コンセント３、家電機器４が接続され、電力供給装置２からコンセント３を介して家電機器４に電力が供給される。家電機器４の消費電力は、コンセント３内の電力計３１で測定され、単位時間（例えば、１０秒）あたりの消費電力として送信手段３２によって有線ネットワーク５を経由して電力管理装置６に送信される。
【００２２】
ここで、電力線１は、例えば、電灯線である。電力供給装置２は、例えば、配電盤である。家電機器４は、例えば、テレビ、冷蔵庫、洗濯機といった家電機器である。有線ネットワーク５は、例えば、有線ＬＡＮである。コンセント３は、例えば、コンセントに対して、電力計３１、送信手段３２を付加したものを利用する。ここで、電力計３１は、例えば、電力計、送信手段３２は、例えば、ＮＩＣ（ネットワークインタフェースカード）を利用する。
【００２３】
電力管理装置６において、受信手段６１で受信した消費電力は、制御手段６２によって、どのコンセント３の消費電力かを識別するためのコンセント識別情報１０１を付加した上で消費電力情報１０２としてデータベース６３に格納する。受信手段６１、制御手段６２、データベース６３、通信手段６４は、いずれも例えばＰＣ（パーソナルコンピュータ）に搭載されている手段を利用することができる。
【００２４】
ここで、データベース６３に格納されるコンセント識別情報１０１は、コンセントを一意に識別するＩＤである。また、消費電力情報１０２は、コンセント３に接続されている家電機器４の消費電力について示した情報で、具体的には、例えば、単位時間あたりの消費電力を時系列に列挙した数列である。図２にデータベース６３に格納されるコンセント識別情報１０１と消費電力情報１０２の一例を示す。
【００２５】
電力管理装置６は、無線ネットワーク７を経由して消費電力表示装置８から送信された要求を通信手段６４で受信し、データベース６３から消費電力情報１０２を収集して応答に格納して送信する。無線ネットワーク７は、例えば、無線ＬＡＮを利用する。
【００２６】
次に、本発明の実施の形態１、２の共通部分となるコンセント単位で消費電力情報を管理する消費電力表示システムにおける消費電力情報取得のシーケンス例について説明する。
【００２７】
図３は、本発明の実施の形態１、２の共通部分となるコンセント単位で消費電力情報を管理する消費電力表示システムにおける消費電力情報取得のシーケンス例を示す図である。図３に示すように、消費電力表示装置８は、電力管理装置６に消費電力情報取得要求７１を送信する。消費電力情報取得要求７１には、消費電力情報１０２を取得するコンセントのコンセント識別情報１０１を付加する。消費電力情報取得要求７１には、複数のコンセントに対する要求を含めることができる。電力管理装置６は、受信した消費電力情報取得要求７１の内容に基づき消費電力情報１０２をデータベース６３から取得し、消費電力情報取得応答７２に付加して消費電力表示装置８に送信する。
【００２８】
（実施の形態１）
図４は、本発明の実施の形態１における消費電力表示システムの全体構成例を示す図である。図４において、図１と同じ構成については同じ符号を用い、説明を省略する。図４に示すように、本発明の実施の形態１における消費電力表示システムは、図１に示した消費電力表示システムに対して、消費電力表示装置８が消費電力表示装置８Ａに置き換わり、機器情報サーバ９が追加されている。ここで、消費電力表示装置８Ａは、図１における消費電力表示装置８と同じ機能を備え、さらに無線ネットワーク７を経由して機器情報サーバ９との間で機器情報を取得するために通信を行う。
【００２９】
次に、図４における消費電力表示装置８Ａおよび機器情報サーバ９の内部構成例について説明する。
【００３０】
図５は、本発明の実施の形態１における消費電力表示装置８Ａの内部構成例を示すブロック図である。図５に示すように、本発明の実施の形態１における消費電力表示装置８Ａは、カメラ８１と、画像認識手段８２と、表示手段８３と、通信手段８４と、記憶手段８５と、制御手段８６とから構成される。カメラ８１は、家電機器を撮影する。画像認識手段８２は、撮影された画像の画像認識処理を行い、家電機器を特定して機器識別情報１０３および機器種別情報１０４を作成する。表示手段８３は、家電機器４への操作指示情報１０５Ａを表示する。通信手段８４は、電力管理装置６と通信を行う。記憶手段８５は、機器識別情報１０３とコンセント識別情報１０１とを関連付けて記憶し、また、機器種別情報１０４、操作指示情報１０５Ａ、消費電力パターン１０６とを関連付けて記憶する。制御手段８６は、消費電力表示装置８Ａを制御する。
【００３１】
図６は、本発明の実施の形態１における機器情報サーバ９の内部構成例を示すブロック図である。図６に示すように、本発明の実施の形態１における機器情報サーバ９は、通信手段９１と、画像認識手段９２と、データベース９３と、制御手段９４とから構成される。通信手段９１は、消費電力表示装置８Ａと通信を行う。画像認識手段９２は、画像の画像認識処理を行い、家電機器を特定する。データベース９３は、機器種別情報１０４、操作指示情報１０５Ａ、消費電力パターン１０６等を関連付けて格納する。制御手段９４は、機器情報サーバ９を制御する。
【００３２】
ここで、消費電力表示装置８Ａの記憶手段８５および機器情報サーバ９のデータベース９３に記憶または格納されている各情報について説明する。
【００３３】
消費電力表示装置８Ａの記憶手段８５に記憶される機器識別情報１０３は、家電機器４を一意に識別するＩＤであり、コンセント識別情報１０１は、コンセントを一意に識別するＩＤである。図７に消費電力表示装置８Ａの記憶手段８５に記憶されている機器識別情報１０３とコンセント識別情報１０１の一例を示す。
【００３４】
消費電力表示装置８Ａの記憶手段８５および機器情報サーバ９のデータベース９３に記憶または格納されている機器種別情報１０４は、家電機器４の種別を一意に識別するＩＤである。操作指示情報１０５Ａは、家電機器４の操作手順を示した情報で、この操作手順に沿って家電機器４を操作すると家電機器４の消費電力の変動量が大きくなるように構成する。具体的には、例えば、家電機器４の操作手順を示したテキスト情報である。消費電力パターン１０６は、実際に操作指示情報１０５Ａに沿って家電機器４を操作した場合の家電機器４の消費電力の変動パターンについて示した情報で、具体的には、例えば、消費電力の変動量を時系列で列挙した符号付きの数列である。図８に消費電力表示装置８Ａの記憶手段８５および機器情報サーバ９のデータベース９３の記憶手段８５に記憶または格納されている機器種別情報１０４、操作指示情報１０５Ａ、消費電力パターン１０６の一例を示す。
【００３５】
次に、本発明の実施の形態１における機器情報取得のシーケンスの例について説明する。図９は、本発明の実施の形態１における機器情報取得のシーケンスの例を示す図である。図９に示すように、消費電力表示装置８Ａは、機器情報サーバ９に機器情報取得要求７３を送信する。機器情報取得要求７３には、機器情報を取得する家電機器４の画像を付加する。機器情報サーバ９は、画像認識手段９２において受信した機器情報取得要求７３に格納されている画像情報の画像認識処理を行って家電機器４を特定し、特定した家電機器４に対応する機器種別情報１０４、操作指示情報１０５Ａ、消費電力パターン１０６を機器情報取得応答７４に付加して消費電力表示装置８Ａに送信する。
【００３６】
次に、本発明の実施の形態１における消費電力表示装置８Ａの内部処理の一例についてフローチャートを参照しながら説明する。
【００３７】
図１０は、本発明の実施の形態１における消費電力表示装置８Ａの内部処理を示すフローチャートである。図１０において、まず、カメラ８１が、家電機器４を撮影する（ステップＳ１０２）。次に、撮影した画像について画像認識手段８２が、画像認識処理を行い、家電機器４を特定し、特定した家電機器４に対応する機器識別情報１０３および機器種別情報１０４を作成する（ステップＳ１０３）。次に、制御手段８６が、特定した家電機器４に対応する機器識別情報１０３が記憶手段８５に存在するか判定する（ステップＳ１０４）。
【００３８】
次に、制御手段８６は、特定した家電機器４に対応する機器識別情報１０３が記憶手段８５に存在する場合（ステップＳ１０４、ＹＥＳ）、記憶手段８５において機器識別情報１０３に対応するコンセント識別情報１０１を付加した消費電力情報取得要求７１を、通信手段８４を介して、電力管理装置６に送信する（ステップＳ１０５）。次に、制御手段８６は、図３に示すシーケンスに基づき電力管理装置６から受信した消費電力情報取得応答７２から消費電力情報１０２を取り出し、表示手段８３に表示させ（ステップＳ１０６）、処理を終了する（ステップＳ１０７）。
【００３９】
また、制御手段８６は、特定した家電機器４に対応する機器識別情報１０３が記憶手段８５に存在しない場合（ステップＳ１０４、ＮＯ）、機器種別情報１０４が記憶手段８５に存在するか判定する（ステップＳ１０８）。
【００４０】
制御手段８６は、機器種別情報１０４が記憶手段８５に存在しない場合（ステップＳ１０８、ＮＯ）、撮影した画像を付加した機器情報取得要求７３を機器情報サーバ９に送信する（ステップＳ１０９）。次に、制御手段８６は、図９に示すシーケンスに基づき機器情報サーバ９から受信した機器情報取得応答７４から、機器種別情報１０４、操作指示情報１０５Ａ、消費電力パターン１０６等を取り出し、記憶手段に記憶し（ステップＳ１１０）、ステップＳ１１１を実行する。
【００４１】
また、制御手段８６は、機器種別情報１０４が記憶手段８５に存在する場合（ステップＳ１０８、ＹＥＳ）、表示手段８３に機器種別情報１０４に対応する操作指示情報１０５Ａの内容を表示して、ユーザーによりなされる操作が終わるまで一定時間（例えば、１分間）待つ（ステップＳ１１１）。次に、全てのコンセント３のコンセント識別情報１０１を付加した消費電力情報取得要求７１を電力管理装置６に送信する。次に、制御手段８６は、図３に示すシーケンスに基づき電力管理装置６から受信した消費電力情報取得応答７２から消費電力情報１０２を取り出し、機器種別情報１０４に対応する消費電力パターン１０６と照合する（ステップＳ１１３）。次に、制御手段８６は、消費電力パターン１０６と一致する消費電力情報１０２があるか判定する（ステップＳ１１４）。
【００４２】
制御手段８６は、消費電力パターン１０６と一致する消費電力情報１０２がある場合（ステップＳ１１４、ＹＥＳ）、機器識別情報１０３とコンセント識別情報１０１を対応付けて記憶手段に記憶し（ステップＳ１１５）、処理を終了する（ステップＳ１０７）。
【００４３】
他方、消費電力パターン１０６と一致する消費電力情報１０２がない場合（ステップＳ１１４、ＮＯ）、処理を終了する（ステップＳ１０７）。
【００４４】
次に、本発明の実施の形態１における機器情報サーバ９の内部処理の一例についてフローチャートを参照しながら説明する。
【００４５】
図１１は、本発明の実施の形態１における機器情報サーバ９の内部処理を示すフローチャートである。図１１において、まず、制御手段９４が、図３に示すシーケンスに基づき消費電力表示装置８Ａから通信手段９１を介して受信した機器情報取得要求７３から画像を取り出す（ステップＳ２０２）。次に、画像認識手段９２が、取り出した画像について画像認識手段９２で画像認識処理を行い、家電機器４を特定し、機器種別情報１０４を作成する（ステップＳ２０３）。次に、制御手段９４が、データベース９３から特定した家電機器４の機器種別情報１０４に対応する操作指示情報１０５Ａ、消費電力パターン１０６を取り出し、機器種別情報１０４と共に機器情報取得応答７４に付加して通信手段９１を介して消費電力表示装置８Ａに送信し（ステップＳ２０４）、処理を終了する（ステップＳ２０５）。
【００４６】
以上のように、本発明の実施の形態１の消費電力表示装置によれば、家電機器に自らの動作履歴を記録して送信する機能を付加することなく、家電機器とコンセントの対応付けをより短い時間でより確実に推定することができる。
【００４７】
（実施の形態２）
本発明の実施の形態２においては、出力手段の例として、近接通信手段８８を説明する。
【００４８】
図１２は、本発明の実施の形態２における消費電力表示システムの全体構成例を示す図である。図１２において、図４と同じ構成については同じ符号を用い、説明を省略する。図１２に示すように、本発明の実施の形態２における消費電力表示システムは、図４に示した本発明の実施の形態１の消費電力表示システムに対して、機器情報サーバ９が削除され、消費電力表示装置８Ａが消費電力表示装置８Ｂに置き換わっている。
【００４９】
次に、図１２における消費電力表示装置８Ｂの内部構成例について説明する。
【００５０】
図１３は、本発明の実施の形態２における消費電力表示装置８Ｂの内部構成例を示すブロック図である。図１３において、図５と同じ構成については同じ符号を用い、説明を省略する。図１３に示すように、本発明の実施の形態２における消費電力表示装置８Ｂは、図５に示した本発明の実施の形態１における消費電力表示装置８Ａに対して、カメラ８１、画像認識手段８２が削除され、文字列を入力するためのキーパッド８７と、出力手段である近接通信手段８８が追加されている。近接通信手段８８は、家電機器４にリモコンコマンドを送信する。また、記憶手段８５の操作指示情報１０５Ａが操作指示情報１０５Ｂに置き換わっている。ここで、キーパッド８７は、携帯電話端末などに搭載されているものを利用できる。また、近接通信手段８８は、例えば、赤外線通信手段である。
【００５１】
消費電力表示装置８Ｂの記憶手段８５に記憶されている操作指示情報１０５Ｂは、操作指示情報１０５Ａと同じく、家電機器４の操作手順を示した情報であり、この操作手順に沿って家電機器４を操作すると家電機器４の消費電力の変動量が大きくなるように構成する。具体的には、家電機器４の操作手順を示したリモコンコマンドである。
【００５２】
図１４に消費電力表示装置８Ｂの記憶手段８５に記憶されている機器種別情報１０４、操作指示情報１０５Ｂ、消費電力パターン１０６の一例を示す。ここで、リモコンコマンドは、家電機器４を製造している各企業により規定されており、その規定に従い作成する。
【００５３】
なお、出力手段として、近接通信手段８８に加えて、実施の形態１と同様な表示手段８３を備えていてもよい。
【００５４】
次に、本発明の実施の形態２における消費電力表示装置８Ｂの内部処理の一例についてフローチャートを参照しながら説明する。
【００５５】
図１５は、本発明の実施の形態２における消費電力表示装置８Ｂの内部処理を示すフローチャートである。図１５において、図１０と同じ構成については同じ符号を用い、説明を省略する。図１５に示すように、本発明の実施の形態２における消費電力表示装置８Ｂの内部処理を示すフローチャートは、図１０に示した本発明の実施の形態１における消費電力表示装置８Ａの内部処理を示すフローチャートに対して、ステップＳ１０２、Ｓ１０３、Ｓ１０７、Ｓ１０８、Ｓ１０９、Ｓ１１０、Ｓ１１１が削除され、ステップＳ１１６、Ｓ１１７、Ｓ１１８が追加されている。
【００５６】
図１５において、まず、キーパッド８７は、機器識別情報１０３の入力を受け付ける（ステップＳ１１６）。次に、ステップＳ１０４を実行する。
【００５７】
ステップＳ１０４において、機器識別情報１０３が記憶手段８５に存在しない場合、キーパッドは、機器種別情報１０４の入力を受け付ける（ステップＳ１１７）。
【００５８】
次に、近接通信手段８８は、機器種別情報に対応する操作指示情報１０５Ｂ（リモコンコマンド）を家電機器４に送信する（ステップＳ１１８）。次に、ステップＳ１１２を実行する。
【００５９】
以上のように、本発明の実施の形態２の消費電力表示装置によれば、家電機器に自らの動作履歴を記録して送信する機能を付加することなく、家電機器とコンセントの対応付けをより短い時間でより確実に推定することができる。
【００６０】
なお、本発明の実施の形態１において、カメラ８１および画像認識手段８２を本発明の実施の形態２におけるキーパッド８７に置き換えることで、キーパッドから機器識別情報１０３、機器種別情報１０４を入力することも可能である。
【００６１】
また、本発明の実施の形態１に、本発明の実施の形態２における近接通信手段８８を追加することで、操作指示情報（リモコンコマンド）を近接通信手段８８から家電機器４に送信することが可能である。ただし、リモコンコマンドを利用するためには家電機器４が近接通信に対応していなければならない。
【００６２】
また、本発明の実施の形態２において、機器情報サーバ９を追加することで、図９に示すシーケンスと同様のシーケンスに基づき、消費電力表示装置８Ｂが、機器情報サーバ９に機器種別情報１０４を付加した機器情報取得要求を送信し、機器情報サーバ９が消費電力表示装置８Ｂに機器種別情報１０４に対応する操作指示情報１０５Ｂ、消費電力パターン１０６を付加した機器情報取得応答７４を送信することも可能である。
【００６３】
なお、本発明は、電気機器の接続を推定できる電気機器接続推定装置、電気機器接続推定システム、電気機器接続推定方法、プログラム等として実現することができる。
【産業上の利用可能性】
【００６４】
本発明にかかる電気機器接続推定装置、電気機器接続推定システム、電気機器接続推定方法及びプログラムは、家電機器に自らの動作履歴を記録して送信する機能を付加する必要がないことから、従来の電力管理システムに対して大きな影響を与えることなく、電気機器の接続を推定できる電気機器接続推定装置、電気機器接続推定システム、電気機器接続推定方法及びプログラムを実現することができる。さらに、家電機器とコンセントの対応付けをより短い時間でより確実に推定することができることから、利用者の利便性が向上するなど有用である。
【符号の説明】
【００６５】
１    電力線
２    電力供給装置
３    コンセント
４    家電機器
５    有線ネットワーク
６    電力管理装置
７    無線ネットワーク
８、８Ａ、８Ｂ    消費電力表示装置
９    機器情報サーバ
３１    電力計
３２    送信手段
６１    受信手段
６２    制御手段
６３    データベース
６４    通信手段
７１    消費電力情報取得要求
７２    消費電力情報取得応答
７３    機器情報取得要求
７４    機器情報取得応答
８１    カメラ
８２    画像認識手段
８３    表示手段
８４    通信手段
８５    記憶手段
８６    制御手段
８７    キーパッド
８８    近接通信手段
９１    通信手段
９２    画像認識手段
９３    データベース
９４    制御手段
１０１    コンセント識別情報
１０２    消費電力情報
１０３    機器識別情報
１０４    機器種別情報
１０５Ａ、１０５Ｂ    操作指示情報
１０６    消費電力パターン
【図１】
2012253865.tif 000003
【図２】
2012253865.tif 000004
【図３】
2012253865.tif 000005
【図４】
2012253865.tif 000006
【図５】
2012253865.tif 000007
【図６】
2012253865.tif 000008
【図７】
2012253865.tif 000009
【図８】
2012253865.tif 000010
【図９】
2012253865.tif 000011
【図１０】
2012253865.tif 000012
【図１１】
2012253865.tif 000013
【図１２】
2012253865.tif 000014
【図１３】
2012253865.tif 000015
【図１４】
2012253865.tif 000016
【図１５】
2012253865.tif 000017